(57)【要約】【課題】鍵を押鍵したときのタッチ感を向上させるとともにストッパの耐久性を向上させることができる鍵盤楽器の鍵盤装置を提供する。【解決手段】下方に開放し、外壁３ｄ、およびその内部に設けられ、下端が前記外壁３ｄの下端とほぼ同じ高さに位置する当接部２０を有し、押鍵に伴い下方に回動する鍵３と、鍵３の下方に設けられ、押鍵された鍵３の外壁３ｄおよび当接部２０が当接することによって鍵３の下方への回動を阻止する緩衝性を有するストッパ６ｂと、を備えている。【選択図】　図２
2004118054.tif 000002
【特許請求の範囲】
【請求項１】
下方に開放し、外壁、およびその内部に設けられ、下端が前記外壁の下端とほぼ同じ高さに位置する当接部を有し、押鍵に伴い下方に回動する鍵と、
当該鍵の下方に設けられ、押鍵された前記鍵の前記外壁および前記当接部が当接することによって前記鍵の下方への回動を阻止する緩衝性を有するストッパと、
を備えていることを特徴とする鍵盤楽器の鍵盤装置。
【請求項２】
前記当接部は、少なくとも１つのリブによって構成されていることを特徴とする、請求項１に記載の鍵盤楽器の鍵盤装置。
【請求項３】
前記リブは、前記外壁の下端面を含む平面に沿って延びる板状のリブで構成されていることを特徴とする、請求項２に記載の鍵盤楽器の鍵盤装置。
【請求項４】
前記鍵は、合成樹脂の成形品で構成され、前記リブとともに一体成形されていることを特徴とする、請求項２または３に記載の鍵盤楽器の鍵盤装置。
【発明の詳細な説明】
【０００１】
【発明の属する技術分野】
本発明は、電子ピアノなどの鍵盤楽器の鍵盤装置に関する。
【０００２】
【従来の技術】
図６は従来の電子ピアノの鍵盤装置の一例を示している。この鍵盤装置４０では、複数の鍵３の後端部が、シャーシ２に設けた鍵支点５に回動自在にそれぞれ支持されている。鍵３は、合成樹脂の成形品で構成されており、白鍵３ａおよび黒鍵３ｂ（各１つのみ図示）で構成されている。鍵３は、上壁３ｃ、左右の側壁３ｄ、３ｄ（１つのみ図示）および前壁３ｅなどを有し、下方に開放している。また、各鍵３は、左右の側壁３ｄ、３ｄからそれぞれ下方に延びるＬ字形の係合部３ｆ、３ｆ（１つのみ図示）を有している。また、各鍵３の後端部とシャーシ２の間には、各鍵３を離鍵方向（図６の時計方向）に付勢するばね１２が設けられている。
【０００３】
シャーシ２には、鍵３の前端部の下方に、例えばフェルトで構成された上限および下限ストッパ６ａ、６ｂが取り付けられている。上限ストッパ６ａはシャーシ２の下面に、下限ストッパ６ｂはシャーシ２の上面にそれぞれ取り付けられている。ハンマー４は、シャーシ２に支軸４ａを中心として回動自在に支持されており、支軸４ａよりも前側の部分に鍵３のアクチュエータ部３ｇが上方から当接している。また、シャーシ２には、ハンマー４の下方に、各鍵３の押鍵情報を検出するための多数の鍵スイッチ７（１つのみ図示）が設けられている。
【０００４】
以上の構成により、この鍵盤装置４０は、図６に示す離鍵状態から鍵３が押鍵されると、鍵３は鍵支点５を中心として下方に回動する。そして、鍵３の下面が下限ストッパ６ｂに当接することによって、その回動が阻止されるとともに、鍵３が当接した時の衝撃が緩和される。また、鍵３のアクチュエータ部３ｇを介して押圧されることにより、ハンマー４が同図の反時計方向に回動する。これに伴い、鍵スイッチ７がハンマー４で押圧されることによって、鍵３の押鍵および押鍵速度が検出され、その検出結果に応じて発音が制御される。
【０００５】
一方、鍵３を離鍵すると、ばね１２の付勢力によって、鍵３は鍵支点５を中心として上方に回動し、係合部３ｆ、３ｆが上限ストッパ６ａに当接することによって、離鍵状態に復帰する。
【発明が解決しようとする課題】
【０００６】
上述した従来の鍵盤装置４０には、以下のような問題がある。すなわち、この鍵盤装置４０では、押鍵された鍵３が、下限ストッパ６ｂに当接する際には、鍵３が下方に開放しているため、左右の側壁３ｄ、３ｄの下端が下限ストッパ６ｂに当接し、鍵３が下限ストッパ６ｂに当接する部分の面積は非常に小さい。したがって、荷重がその小さな面積に集中した状態で、側壁３ｄ、３ｄの下端が、フェルトで構成された下限ストッパ６ｂを下方に押圧する。このため、図７に示すように、側壁３ｄ、３ｄの下端が下限ストッパ６ｂに食い込み、当接する部分が窪むように大きく変形し、鍵３の回動は、下限ストッパ６ｂに当接してすぐには終了せず、その後、下限ストッパ６ｂの変形が限界に達するまで、ある程度、継続する。その結果、鍵３を押鍵したときに、鍵３が所定の位置で停止する感覚（止まり感）が得られにくいことから、鍵３のタッチ感に悪影響を及ぼす。
【０００７】
また、上述したように、下限ストッパ６ｂの変形量が大きいので、塑性変形が生じやすく、下限ストッパ６ｂへの押圧が解除されてもその変形が復元しにくい。それにより、鍵３が下限ストッパ６ｂに当接するタイミングがずれるなど、下限ストッパ６ｂの耐久性が低下してしまう。
【０００８】
本発明は、このような課題を解決するためになされたものであり、鍵を押鍵したときのタッチ感、およびストッパの耐久性を向上させることができる鍵盤楽器の鍵盤装置を提供することを目的としている。
【０００９】
【課題を解決するための手段】
この目的を達成するために、本発明の請求項１に記載の発明は、下方に開放し、外壁、およびその内部に設けられ、下端が外壁の下端とほぼ同じ高さに位置する当接部を有し、押鍵に伴い下方に回動する鍵と、鍵の下方に設けられ、押鍵された鍵の外壁および当接部が当接することによって鍵の下方への回動を阻止する緩衝性を有するストッパと、を備えていることを特徴とする。
【００１０】
この鍵盤楽器の鍵盤装置によれば、鍵は、押鍵に伴い下方に回動し、ストッパに当接することによって、その回動が阻止される。また、下方に開放する鍵の外壁の内部には当接部が設けられており、この当接部の下端は、鍵の外壁の下端とほぼ同じ高さに位置している。したがって、鍵が押鍵時に回動したときに、側壁の下端と当接部の下端とが鍵の下方に設けられたストッパに同時に当接する。このため、外壁の下端に加えて当接部の下端が当接する分、従来と比較して鍵がストッパに当接する部分の面積が増加することによって、鍵からストッパに作用する荷重が分散される。すなわち、ストッパに作用する単位面積当りの荷重が減少する。その結果、荷重によるストッパへの鍵の食込みが抑制されることで、ストッパの変形量が低減され、鍵の回動がストッパに当接してすぐに終了する。それにより、鍵を押鍵したときの止まり感を確保でき、鍵のタッチ感を向上させることができる。また、ストッパが大きく変形することがないため、塑性変形が生じにくいため、ストッパの耐久性を向上させることができる。
【００１１】
請求項２に係る発明は、請求項１に記載の鍵盤楽器の鍵盤装置において、当接部は、少なくとも１つのリブによって構成されていることを特徴とする。
【００１２】
この鍵盤装置によれば、リブがストッパに当接する分、鍵がストッパに当接する面積が大きくなっていることによって、上述した請求項１による作用を得ることができる。また、当接部が、リブのような単純な形状のもので構成されていることにより、容易に形成することができ、工数やコストの増加を抑えることができる。また、リブを設けたことによる鍵の重量の増加はわずかなものであるので、鍵を押鍵したときのタッチ感にはほとんど影響を及ぼさない。
【００１３】
請求項３に係る発明は、請求項２に記載の鍵盤楽器の鍵盤装置において、リブは、外壁の下端面を含む平面に沿って延びる板状のリブで構成されていることを特徴とする。
【００１４】
この鍵盤装置によれば、リブは、その形状が板状であり、鍵の外壁の下端を含む平面に沿って延びている。それにより、鍵が押鍵されると、外壁部の下端に加えてリブの下面がストッパに当接する。すなわち、そのような大きな面積でストッパに当接するため、鍵からストッパに作用する荷重がさらに分散される。したがって、ストッパの変形量が非常に小さくなり、上述した請求項１による作用をより良好に得ることができる。
【００１５】
請求項４に係る発明は、請求項２または３に記載の鍵盤楽器の鍵盤装置において、鍵は合成樹脂の成形品で構成され、リブとともに一体成形されていることを特徴とする。
【００１６】
この鍵盤装置によれば、例えば射出成形によって、鍵とリブを容易に且つ安価に作製することができる。
【００１７】
【発明の実施形態】
以下、図面を参照しながら、本発明の好ましい実施形態を詳細に説明する。図１は、本発明の一実施形態による電子ピアノの鍵盤装置を示している。この鍵盤装置１は、すでに説明した従来の鍵盤装置４０と比較して、基本的な構成は同じで、鍵３の構成のみが異なるものであるため、その他の部品については同じ符号を用いて、鍵盤装置１の説明を行うものとする。
【００１８】
この鍵盤装置１は、シャーシ２と、シャーシ２に左右方向（図１の奥行方向）に並んだ状態で取り付けられた多数の鍵３（白鍵３ａおよび黒鍵３ｂを各１つ図示）と、各鍵３の押鍵に伴って回動する多数のハンマー４（１つのみ図示）などを備えている。
【００１９】
鍵３は、白鍵３ａと黒鍵３ｂから成り、それぞれ合成樹脂の成形品によって構成されている。各鍵３は、上壁３ｃ、左右の側壁３ｄ、３ｄ（外壁）（１つのみ図示）および前壁３ｅなどを有しており、下方に開放している。また、各鍵３は、その後端部がシャーシ２に設けた鍵支点５に回動自在に支持されている。また、鍵３の後端部とシャーシ２の間には、鍵３を離鍵方向（図１の時計方向）に付勢するばね１２が設けられている。
【００２０】
図２および図３に示すように、各鍵３の前端部には、その内部にリブ２０（当接部）が形成されている。このリブ２０は、鍵３を作製する際に、例えば射出成形によって鍵３と同時に、且つ一体に形成されている。リブ２０は、板状のものであり、外壁３ｄとほぼ同じ厚さを有している。また、リブ２０は、前壁３ｅから後方に所定の間隔を隔てた位置に、前壁３ｅと平行に設けられており、上端が上壁３ｃまで、左端および右端が左右の側壁３ｄ、３ｄまでそれぞれ延び、一体になっている。また、リブ２０の下端は、側壁３ｄ、３ｄの下端と同じ高さ位置になっている。
【００２１】
シャーシ２には、上限ストッパ６ａおよび下限ストッパ６ｂ（ストッパ）が設けられている。下限ストッパ６ｂは、シャーシ２の上面の前端部の、鍵３のリブ２０に対応する位置に取り付けられている。また、上限ストッパ６ａは、シャーシ２の上面の下限ストッパ６ｂの真下の位置に、シャーシ２を挟んで取り付けられている。これらの上限および下限ストッパ６ａ、６ｂは、緩衝性を有する材質、例えばフェルトによって構成され、すべての鍵３にわたるように左右方向に延び、白鍵３ａと黒鍵３ｂのそれぞれについて設けられている。
【００２２】
各鍵３の前端部のリブ２０よりも後ろ側には、左右の側壁３ｄ、３ｄから下方に延びるＬ字形の係合部３ｆ、３ｆが形成されている。これらの係合部３ｆ、３ｆもリブ２０と同様に、鍵３を作製する際に、鍵３と一体に形成されている。これらの係合部３ｆ、３ｆは、シャーシ２に形成されたガイド孔１３を通ってシャーシ２の下方に延びており、これらの係合部３ｆ、３ｆが鍵３の離鍵時に上限ストッパ６ａに当接することによって、鍵３が図１および図４（ａ）に示す離鍵状態に維持される。
【００２３】
ハンマー４は、対応する鍵３の下方で、前端部の支軸４ａを中心として、シャーシ２に回動自在に支持されている。また、支軸４ａよりも前側のアクチュエータ当接部４ｂには、鍵３のアクチュエータ部３ｇが上方から当接している。ハンマー４の支軸４ａよりも後側の部分は、シャーシ２の下方を後方に長く延びており、ハンマー４の後端部の上方には、ハンマー４の上方への回動を規制するためのハンマーストッパ（図示せず）が設けられている。
【００２４】
シャーシ２には、ハンマー４のアクチュエータ当接部４ｂの下側の位置に、各鍵３の押鍵情報を検出するための多数の鍵スイッチ７（１つのみ図示）が設けられている。鍵スイッチ７は、プリント基板８と、このプリント基板８に鍵３ごとに取り付けられたゴムスイッチから成るスイッチ本体９で構成されている。また、鍵スイッチ７は、プリント基板８の後端部をシャーシ２に形成された係合凹部２ａに差し込んだ状態で、スペーサ１０を介し、ねじ１１によってシャーシ２に取り付けられている。
【００２５】
以上の構成により、この鍵盤装置１では、離鍵状態から鍵３が押鍵されると、鍵３は鍵支点５を中心として下方に回動する。そして、鍵３の側壁３ｄ、３ｄおよびリブ２０の下端が下限ストッパ６ｂに同時に当接することによって（図４（ｂ）の状態）、鍵３の回動が阻止されるとともに、鍵３が当接した際の衝撃が緩和される。
【００２６】
また、鍵３のアクチュエータ部３ｇおよびハンマー４のアクチュエータ当接部４ｂを介して押圧されることにより、ハンマー４が図１の反時計方向に回動する。これに伴い、鍵スイッチ７がハンマー４のアクチュエータ当接部４ｂの下面で押圧されることによって、鍵３の押鍵および押鍵速度が検出され、その検出結果に応じて発音が制御される。
【００２７】
一方、鍵３が離鍵されると、ばね１２の付勢力によって、鍵３が鍵支点５を中心として上方に回動し、係合部３ｆ、３ｆが上限ストッパ６ａに当接することによって、離鍵状態に復帰する。また、それに伴い、ハンマー４も自重により離鍵状態に復帰する。
【００２８】
以上のように、本実施形態の鍵盤装置１によれば、左右の側壁３ｄ、３ｄの下端に加えてリブ２０の下端が当接する分、従来と比較して鍵３が下限ストッパ６ｂに当接する部分の面積が増加することによって、鍵３から下限ストッパ６ｂに作用する荷重が分散される。すなわち、下限ストッパ６ｂに作用する単位面積当りの荷重が減少する。その結果、荷重による下限ストッパ６ｂへの鍵の食込みが抑制されることで、下限ストッパ６ｂの変形量が低減される。したがって、鍵３の回動が下限ストッパ６ｂに当接してすぐに終了するため、鍵３を押鍵したときの止まり感を確保できることにより、鍵３のタッチ感を向上させることができる。また、下限ストッパ６ｂが大きく変形することがないことにより、塑性変形が生じにくいため、下限ストッパ６ｂの耐久性を向上させることができる。
【００２９】
また、リブ２０は、単純な形状のものであるため、容易に且つ安価に形成することができ、工数やコストの増加を抑えることができる。また、リブ２０を設けたことによる鍵３の重量の増加はわずかなものであるので、鍵３を押鍵したときのタッチ感にはほとんど影響を及ぼさない。
【００３０】
図５（ａ）〜（ｆ）は、上述した鍵盤装置１の鍵３の変形例をそれぞれ示している。これらの変形例は、上述した図３の鍵に対して、リブ２０の構成のみが異なるものである。以下、各例ごとに説明する。
【００３１】
同図（ａ）に示す鍵３０は、図３のリブ２０に対し、その左右方向の中間部に、上下方向に上壁３ｃまで延びるスリット２０ａを形成したものである。このような構成とすることによっても、鍵３を押鍵したときに、鍵３が下限ストッパ６ｂに当接する部分の面積が、従来と比較して増加するため、上述した鍵３の場合と同様の効果を得ることができる。
【００３２】
同図（ｂ）に示す鍵３１は、図３のリブ２０に加えて、その後ろ側にリブ２０と同様の構成のリブ２１（当接部）を平行に設けたものである。すなわち、２つのリブ２０、２１が、前後方向にわずかな所定の間隔を存して並んでいる。それにより、鍵３１に、より大きな剛性を持たせることができる。また、２つのリブ２０、２１は、これらの前後方向の中心が、下限ストッパ６ｂの前後方向の中心と一致するように配置されている。それにより、押鍵時に、鍵３１が下限ストッパ６ｂに当接する面積がリブ２１の分だけ増加すること、および前後方向に延びる側壁３ｄ、３ｄと左右方向に延びるリブ２０、２１とが下限ストッパ６ｂにバランス良く当接し、下限ストッパ６ｂに作用する荷重をバランス良く分散させることによって、前述した鍵３による場合の効果をより良好に得ることができる。
【００３３】
同図（ｃ）に示す鍵３２は、図３のリブ２０に代えて、水平部２２ａおよび鉛直部２２ｂから成る断面Ｌ形のリブ２２（当接部）を設けたものである。水平部２２ａは、左右の側壁３ｄ、３ｄ間に水平に渡され、側壁３ｄ、３ｄの下端を含む平面に沿って延び、下面が側壁３ｄ、３ｄの下端と面一になっている。また、水平部２２ａの前後方向の中心が、下限ストッパ６ｂの前後方向の中心と一致するように配置されている。一方、鉛直部２２ｂは、水平部２２ａの後端から、側壁３ｄ、３ｄの上下方向の中間部まで垂直に延びている。このような構成によって、鍵３２の押鍵時に、側壁３ｄ、３ｄの下端および水平部２２ａの下面全体が下限ストッパ６ｂに当接する。このように、大きな面積で下限ストッパ６ｂに当接することによって、下限ストッパ６ｂに作用する荷重がより効果的に分散されるため、下限ストッパ６ｂの変形量を非常に小さくすることができ、前述した鍵３による場合の効果をより良好に得ることができる。
【００３４】
同図（ｄ）に示す鍵３３は、同図（ｂ）の鍵３１に対して、リブ２１を後方に配置し、リブ２０、２１間の距離を拡大するとともに、リブ２０、２１を連結する２つの板状の縦リブ２３、２３（当接部）を設けたものである。これらの縦リブ２３、２３は、リブ２０、２１の下端から上壁３ｃまで上下方向に、互いに平行に延びている。それにより、鍵３３により大きな剛性を持たせることができる。また、押鍵時に、鍵３３が下限ストッパ６ｂに当接する面積が２つの縦リブ２３、２３の分だけさら増加すること、および左右方向に延びるリブ２０、２１と前後方向に延びる縦リブ２３、２３との組合わせにより、下限ストッパ６ｂに作用する荷重がさらにバランス良く分散されることによって、前述した鍵３による場合の効果をさらに良好に得ることができる。
【００３５】
同図（ｅ）に示す鍵３４は、図３の鍵３に対して、リブ２０を後方に配置して、前壁３ｅとリブ２０の間の距離を拡大するとともに、前壁３ｅおよびリブ２０のそれぞれの左右方向の中間部を連結する板状の縦リブ２４（当接部）を設けたものである。それにより、鍵３４により大きな剛性を持たせることができる。また、リブ２０の前後方向の中心が、下限ストッパ６ｂの前後方向の中心と一致するように配置されている。それにより、鍵３４の押鍵時に、縦リブ２４の下端が、リブ２０の左右方向の中心付近で下限ストッパ６ｂに当接する分、わずかではあるものの、下限ストッパ６ｂに作用する荷重をより分散させることができ、前述した鍵３による場合の効果をより良好に得ることができる。
【００３６】
同図（ｆ）に示す鍵３５は、図３の鍵３に対して、リブ２０に代えて、左右一対の板状のリブ２５、２５（当接部）を互いに対向するように設けたものである。これらのリブ２５、２５間には、間隙が形成されている。この鍵３５を押鍵すると、側壁３ｄ、３ｄの下端、および各リブ２５の下面全体が下限ストッパ６ｂに当接する。このように、鍵３２よりも単純な構成としても、鍵３５は、大きな面積で下限ストッパ６ｂに当接することができ、鍵３５をより容易に作製できるとともに、鍵３２とほぼ同様の効果を得ることができる。
【００３７】
なお、上述した実施形態および各変形例では、板状の各種のリブ２０〜２５を設けて下限ストッパ６ｂに当接させることで、下限ストッパ６ｂに作用する荷重を分散させているが、リブの形状や数は、実施形態に示したものに限らず、鍵３の重量を大きく変化させない限り、自由に設定することができる。また、上述した実施形態および各変形例は、本発明を電子ピアノの鍵盤装置に適用した例であるが、これに限定されることなく、下方に開放する鍵、およびその回動を阻止するための緩衝性を有するストッパを用いたすべての鍵盤装置に適用することが可能である。その他、本発明の趣旨の範囲内で、細部の構成を適宜、変更することが可能である。
【００３８】
【発明の効果】
以上のように、本発明の鍵盤楽器の鍵盤装置は、鍵を押鍵したときのタッチ感を向上させるとともにストッパの耐久性を向上させることができるなどの効果を有する。
【図面の簡単な説明】
【図１】本発明を適用した電子ピアノの鍵盤装置の側面図である。
【図２】鍵の前端部およびストッパなどを示す斜視図である。
【図３】鍵の前端部を下面側からみた斜視図である。
【図４】鍵の（ａ）離鍵状態および（ｂ）ストッパに当接した状態を模式的に示す図である。
【図５】鍵の変形例をそれぞれ下面側からみた斜視図である。
【図６】従来の電子ピアノの鍵盤装置を示す側面図である。
【図７】従来の鍵のストッパに当接した状態を模式的に示す図である。
【符号の説明】
１　　　　　鍵盤装置
３　　　　　鍵
６ｂ　　　　下限ストッパ（ストッパ）
３ｄ　　　　側壁（外壁）
２０　　　　　リブ（当接部）
２１　　　　　リブ（当接部）
２２　　　　　リブ（当接部）
２２ａ　　　　水平部
２２ｂ　　　　鉛直部
２３　　　　　縦リブ（当接部）
２４　　　　　縦リブ（当接部）
２５　　　　　リブ（当接部）
３０〜３５　　鍵
【図１】
2004118054.tif 000003
【図２】
2004118054.tif 000004
【図３】
2004118054.tif 000005
【図４】
2004118054.tif 000006
【図５】
2004118054.tif 000007
【図６】
2004118054.tif 000008
【図７】
2004118054.tif 000009
【手続補正書】
【提出日】平成14年10月28日(2002.10.28)
【手続補正１】
【補正対象書類名】明細書
【補正対象項目名】０００２
【補正方法】変更
【補正の内容】
【０００２】
【従来の技術】
従来のこの種の鍵盤装置として、例えば特許文献１に記載されたものが知られている。また、図６は従来の他の電子ピアノの鍵盤装置の一例を示している。この鍵盤装置４０では、複数の鍵３の後端部が、シャーシ２に設けた鍵支点５に回動自在にそれぞれ支持されている。鍵３は、合成樹脂の成形品で構成されており、白鍵３ａおよび黒鍵３ｂ（各１つのみ図示）で構成されている。鍵３は、上壁３ｃ、左右の側壁３ｄ、３ｄ（１つのみ図示）および前壁３ｅなどを有し、下方に開放している。また、各鍵３は、左右の側壁３ｄ、３ｄからそれぞれ下方に延びるＬ字形の係合部３ｆ、３ｆ（１つのみ図示）を有している。また、各鍵３の後端部とシャーシ２の間には、各鍵３を離鍵方向（図６の時計方向）に付勢するばね１２が設けられている。


【手続補正２】
【補正対象書類名】明細書
【補正対象項目名】０００４
【補正方法】変更
【補正の内容】
【０００４】
以上の構成により、この鍵盤装置４０は、図６に示す離鍵状態から鍵３が押鍵されると、鍵３は鍵支点５を中心として下方に回動する。そして、鍵３の下面が下限ストッパ６ｂに当接することによって、その回動が阻止されるとともに、鍵３が当接した時の衝撃が緩和される。また、鍵３のアクチュエータ部３ｇを介して押圧されることにより、ハンマー４が同図の反時計方向に回動する。これに伴い、鍵スイッチ７がハンマー４で押圧されることによって、鍵３の押鍵および押鍵速度が検出され、その検出結果に応じて発音が制御される。一方、鍵３を離鍵すると、ばね１２の付勢力によって、鍵３は鍵支点５を中心として上方に回動し、係合部３ｆ、３ｆが上限ストッパ６ａに当接することによって、離鍵状態に復帰する。
【手続補正３】
【補正対象書類名】明細書
【補正対象項目名】０００５
【補正方法】変更
【補正の内容】
【０００５】
【特許文献１】
特開２００１−１７５２４４号公報（第２頁、図１０）